(57)【要約】【課題】上下に並ぶ外側頂部同士の間隔が接近することなく、効率的に液体を濾過することができ、ひいては、フィルタケースの内圧を正常な内圧にすることができる新規な液体用フィルタ及びこの液体用フィルタを用いた液体濾過装置を提供する。【解決手段】中央には液体流入空間３ａが形成され、外部には複数の外側頂部３ｂが高さ方向に並列して露出され、液体流入空間３ａ側には複数の内側頂部が高さ方向に並列してなるとともに、上記複数の内側頂部は、上記液体流入空間３ａに接近してなる近接内側頂部３ｃと、この近接内側頂部３ｃと近接内側頂部３ｃとの間であって該液体流入空間３ａよりも外側に離間した位置に配置されてなる１又は複数の離間内側頂部３ｄと、から構成されてなる。【選択図】  図１１
2019063743.tif 000002
【特許請求の範囲】
【請求項１】
略方形状のシート体が折曲されてなるとともにフィルタケース内に収容される液体用フィルタであって、
中央には液体が流入し平面視において方形状とされた液体流入空間が形成され、それぞれ高さ方向と直交する方向に長さを有してなるとともに高さ方向に並列して外部に露出してなる複数の外側頂部と、それぞれ高さ方向とは直交する方向に長さを有してなるとともに高さ方向に並列してなり上記液体流入空間側に位置してなる複数の内側頂部と、を備え、
上記複数の内側頂部は、上記液体流入空間に接近してなる近接内側頂部と、この近接内側頂部の高さ位置と近接内側頂部の高さ位置との間であって該液体流入空間よりも外側に離間した位置に配置されてなる１又は複数の離間内側頂部と、から構成されてなることを特徴とする液体用フィルタ。
【請求項２】
正面及び背面又は左側面及び右側面の外側には、高さ方向に並列した前記外側頂部同士の間隔を所定長さ離間させる外側間隔保持部材が固定され、この外側間隔保持部材は、上記外側頂部同士が互いに接近するよう圧縮する圧縮操作に伴って圧縮自在とされてなるとともに、該圧縮操作が解除され前記フィルタケース内に収容された場合には、互いに接近した各外側頂部同士の間隔を所定長さ離間させるものであることを特徴とする請求項１記載の液体用フィルタ。
【請求項３】
前記外側間隔保持部材は、前記外側頂部の長さ方向と同じ方向に幅を有してなるとともに、それぞれ上記幅方向に長さを有してなる外側折曲部と内側折曲部とが上端側から下端側に亘って交互に形成されてなるとともに、該外側折曲部と内側折曲部を介して伸縮方向に弾性変形自在となされた樹脂製長尺板であって、
この樹脂製長尺板は、上記外側折曲部が前記外側頂部の何れかに固定手段を介して固定されてなることを特徴とする請求項２記載の液体用フィルタ。
【請求項４】
上端縁には、前記フィルタケースの上端縁の全周に亘って接着されるフィルタ側接着片が形成されてなることを特徴とする請求項１，２又は３記載の何れかの液体用フィルタ。
【請求項５】
前記請求項１ないし４記載の何れかの液体用フィルタと、
方形状に成形された底板と、下面がこの底板の上面に対向してなり方形状に成形され中央には円形状の液体流入用開口が形成された蓋板と、上記底板と蓋板との間に配置された４つの側板と、を備え、内部には上記液体用フィルタを収容するフィルタ収容空間が形成されてなるフィルタケースと、を備えてなる液体濾過装置であって、
上記フィルタケースは、上記蓋板、底板、側板がそれぞれ分解可能又は折り畳み可能とされてなることを特徴とする液体濾過装置。
【請求項６】
前記請求項４記載の液体用フィルタと、
方形状に成形された底板と、下面がこの底板の上面に対向してなり方形状に成形され中央には円形状の液体流入用開口が形成された蓋板と、上記底板と蓋板との間に配置された４つの側板と、を備え、内部には上記液体用フィルタを収容するフィルタ収容空間が形成されてなるフィルタケースと、を備えてなる液体濾過装置であって、
上記フィルタケースは、上記蓋板、底板、側板がそれぞれ分解可能又は折り畳み可能とされてなるとともに、上記フィルタケースを構成する側板の上端には、前記フィルタ側接着片が接着されるケース側接着片が形成されてなることを特徴とする液体濾過装置。
【請求項７】
前記液体用フィルタの中央には、該液体用フィルタの上方から挿入された後に回転操作される内側間隔保持部材が配置されてなり、この内側間隔保持部材には、液体が流入する液体流入空間と、該液体流入空間内の液体が流出する流出用開口とが形成されてなるとともに、前記回転操作により、該液体用フィルタに形成された近接内側頂部と近接内側頂部との間に先端側が挿入される複数の板状のスペーサが上方から下方に亘ってそれぞれ平行に形成されてなることを特徴とする請求項５又は６記載の何れかの液体濾過装置。
【請求項８】
前記内側間隔保持部材は、前記液体用フィルタやフィルタケースの長さ方向に長さを有し内側には前記液体流入空間が形成されてなる管部と、この管部の外周面に固定された前記複数のスペーサと、を備え、
上記管部には、上記液体流入空間内に流入した液体を外側に流出させる流出用開口が該管部の上端側から下端側に亘って複数形成され、これらの流出用開口の開口面積は、該管部の下端側から上端側に亘って徐々に広いものとされてなることを特徴とする請求項７記載の液体濾過装置。
【請求項９】
前記管部は平面視において方形状に成形され、前記流出用開口は該管部の周回り方向に４つ形成されてなるとともに、これら４つの流出用開口は、前記液体用フィルタの内側に位置するコーナー部にそれぞれ対向していることを特徴とする請求項８記載の液体濾過装置。
【発明の詳細な説明】
【技術分野】
【０００１】
本発明は、例えば、オイル等の液体に含まれたスラッジ等の異物を濾過するためにフィルタケース内に収容されて使用される液体用フィルタ及びこの液体用フィルタを用いた液体濾過装置に関し、特に、シート体が折曲されることによって、外周には高さ方向と直交する方向に複数の外側頂部が露出し、内周には複数の内側頂部が露出してなる液体用フィルタ及びこの液体用フィルタを用いた液体濾過装置に関するものである。
【背景技術】
【０００２】
上記液体用フィルタとしては、これまで多種多様なものが提案されているが、例えば、実開平６−７２６１０号公報（特許文献１）に開示された液体用フィルタは、方形状に切断された布帛がプリーツ状に折曲され両側が互いに固定されることにより全体形状が円筒状に成形されてなるものであり、外周側には外側頂部（山部）が露出し、液体が流入する流入空間とされた内周側には内側頂部（谷部）が露出してなるものである。なお、上記外側頂部及び内側頂部はそれぞれ該液体用フィルタの高さ方向と同じ方向に長さを有している。また、上記液体用フィルタの上部には上部円盤体が固定され、下部には下部円盤体が固定されている。そして、上記液体用フィルタ、上部円盤体及び下部円盤体が構成要素とされたフィルタエレメントは、ケーシング内に収容され、上記液体用フィルタの中央に形成された流入空間内に液体が流入し、その後該液体が液体用フィルタを通過すると、該液体に含まれたスラッジ等の異物が液体用フィルタの内周面において捕捉され、異物が濾過された液体が該液体用フィルタの外側に排出される。
【０００３】
また、実開平５−５６２０５号公報（特許文献２）に開示された液体用フィルタは、フィルタケース内に収容されてなるものであって、内側に上記液体が流入する流入空間が形成された蛇腹状に成形されており、該液体用フィルタの外周には多数の外側頂部（山部）が形成されている。そして、これらの外側頂部の長さ方向は、該液体用フィルタの高さ方向とは直交する方向（又は、周回り方向）とされている。したがって、この液体用フィルタにおいても、上記流入空間内に流入した液体に含まれた異物は、上記液体用フィルタの内周面に捕捉され、異物が濾過された液体が該液体用フィルタの外側に排出される。なお、上記それぞれの液体用フィルタを含む装置全体を、以下では液体濾過装置と言う。
【先行技術文献】
【特許文献】
【０００４】
【特許文献１】実開平６−７２６１０号公報
【特許文献２】実開平５−５６２０５号公報
【発明の概要】
【発明が解決しようとする課題】
【０００５】
ところで、上記特許文献１，２に開示されたフィルタケースを有する液体濾過装置では、所定のコンテナに収容し、船やトラック又は貨車等により輸送又は輸出する際、単位容積当たりに収容する数は限られてしまう。そこで、液体濾過装置として使用される前に輸送等を行う場合には、輸送コストや保管コスト等を圧縮するため、その減容化が求められている。そこで、上記液体濾過装置を構成するフィルタケースと、液体用フィルタとを互い分離するとともに、該フィルタケースを折り畳み可能とし又は組み立て可能とするとともに、上記フィルタは該フィルタケースの高さ方向に圧縮可能な構成とすることにより、上記減容化を図ることが想定される。
【０００６】
しかしながら、輸送時や保管時において、一旦圧縮された上記液体用フィルタを、上記フィルタケース内に収容して内部に液体を流入させるとともに該液体用フィルタを通過させて異物を濾過する場合、互いに並ぶ内側頂部や外側頂部との間が接近し、効率良く液体が内部に流入することなく上記フィルタケース内における液体の圧力が高まり、場合によっては該液体用フィルタを通過することなく、フィルタケースの外部に漏出してしまうおそれがある。
【０００７】
そこで、本発明は、上述した従来の液体用フィルタやこの液体用フィルタを用いた液体濾過装置が有する課題を解決するために提案されたものであって、互いに並ぶ外側頂部との間が接近することなく、効率的に液体を濾過することができ、ひいては、フィルタケースの内圧を正常な内圧にすることができフィルタケースの外部に濾過されていない液体が漏出することを有効に防止することができる新規な液体用フィルタ及びこの液体用フィルタを用いた液体濾過装置を提供することを目的とするものである。
【課題を解決するための手段】
【０００８】
本発明は、上記課題を解決するために提案されたものであって、第１の発明（請求項１記載の発明）は、フィルタに係るものであり、略方形状のシート体が折曲されてなるとともにフィルタケース内に収容される液体用フィルタであって、中央には液体が流入し平面視において方形状とされた液体流入空間が形成され、それぞれ高さ方向と直交する方向に長さを有してなるとともに高さ方向に並列して外部に露出してなる複数の外側頂部と、それぞれ高さ方向とは直交する方向に長さを有してなるとともに高さ方向に並列してなり上記液体流入空間側に位置してなる複数の内側頂部と、を備え、上記複数の内側頂部は、上記液体流入空間に接近してなる近接内側頂部と、この近接内側頂部の高さ位置と近接内側頂部の高さ位置との間であって該液体流入空間よりも外側に離間した位置に配置されてなる１又は複数の離間内側頂部と、から構成されてなることを特徴とするものである。
【０００９】
この第１の発明に係る液体用フィルタでは、内側に形成された上記液体流入空間に濾過される液体が流入され、この液体が液体用フィルタの外側に流出する過程において、該液体用フィルタの内側に異物が捕捉され、この異物が濾過された液体が外側に流出される。すなわち、上記液体流入空間内に流入した液体は、この液体用フィルタにより濾過された状態で該液体用フィルタの外側に流出される。そして、この発明に係る液体用フィルタでは、外側に複数の外側頂部（山部）が形成され、内側には複数の内側頂部（谷部）が形成されていることから、上記液体流入空間内に流入した液体は、上記個々の内側頂部の上方及び下方から外側頂部方向に流入するとともに、該液体用フィルタを通過して外側に流出する。また、この発明に係る液体用フィルタは、上記外側頂部や内側頂部が形成された折曲状態から展開されることにより、略方形状のシート体とされる。
【００１０】
そして、この発明では、上記複数の内側頂部は、上記液体流入空間に接近してなる近接内側頂部と、この近接内側頂部の高さ位置と近接内側頂部の高さ位置との間であって該液体流入空間よりも外側に離間した位置に配置されてなる１又は複数の離間内側頂部と、から構成されている。換言すれば、上記外側頂部と外側頂部との間には、上記液体流入空間に接近してなる近接内側頂部が形成されてなる部位と、上記離間内側頂部が形成されてなる部位を備えている。なお、上記接近内側頂部の高さ位置と接近内側頂部の高さ位置との間に形成された離間内側頂部の数は特に限定されるものではない。この発明に係る液体用フィルタにおいて、上記離間内側頂部が１つ形成されている場合には、特定の接近内側頂部が形成された高さ位置の下方には、上記外側頂部が形成され、この外側頂部が形成された高さ位置の下方には上記離間内側頂部が形成され、この離間内側頂部が形成された高さ位置の下方には外側頂部が形成され、この外側頂部が形成された高さ位置の下方には接近内側頂部が形成されている。
【００１１】
なお、上述した構成に係る液体用フィルタ、すなわち、Ａ）略方形状のシート体が折曲されてなり、Ｂ）中央には平面視において方形状とされた液体流入空間が形成され、Ｃ）上記高さ方向に並列して外部に露出してなる複数の外側頂部を有し、Ｄ）上記液体流入空間側に位置してなる複数の内側頂部を備えた液体用フィルタは、全体の外形形状が直方体状に成形されてなるものであり、後述する発明の実施の形態を示す図１１又は図１２に表されているように、正面と背面（又は右側面と左側面）の形状はそれぞれ同一であり、右側面と左側面（又は正面と背面）の形状は同一とされたものである。そして、上記外側頂部は、上記正面及び背面並びに右側面及び左側面にそれぞれ高さ方向に並んで形成されており、また、それぞれ外側頂部の高さ位置や内側頂部の高さ位置は同一の高さ位置とされている。但し、上記正面と背面（又は右側面と左側面）の形状と、上記右側面と左側面（又は正面と背面）の形状とは、それぞれ異なる。上記正面と背面（又は右側面と左側面）には、この液体用フィルタの幅と同じ幅を有する外側頂部が高さ方向に並んで位置し、これら外側頂部と外側頂部との間に上記内側頂部を構成する接近内側頂部又は離間内側頂部が位置している。一方、上記右側面と左側面（又は正面と背面）には、液体用フィルタの幅と同じ幅を有する外側頂部が高さ方向に並んで位置しているが、これら外側頂部と外側頂部との間の左右両側には、上記正面と背面（又は右側面と左側面）に露出している上記接近内側頂部又は離間内側頂部の一部が互いに対向している。
【００１２】
したがって、この発明に係る液体用フィルタによれば、上記外側頂部と内側頂部とを介して高さ方向に亘って伸縮自在とされ、フィルタケース内に複数収容されることにより圧縮されるものの、上記近接内側頂部の高さ位置と近接内側頂部の高さ位置との間には、該液体用フィルタの外側に近い位置に上記離間内側頂部が配置されていることから、例えば、交互に反対方向に折曲された板バネのように全体としては弾性力が付与され、このフィルタがフィルタケースに収容された際には、高さ方向に並ぶ接近内側頂部同士や外側頂部同士がそれぞれ互いに離間し、この結果、液体流入空間内に流入した液体は、この液体用フィルタをスムーズに浸透して異物が濾過されながら外部に流出することとなり、該液体用フィルタの中央付近（或いはフィルタケース内）の内圧が必要以上に上昇することを有効に防止することができる。
【００１３】
また、第２の発明（請求項２記載の発明）は、上記第１の発明において、正面及び背面又は左側面及び右側面の外側には、高さ方向に並列した前記外側頂部同士の間隔を所定長さ離間させる外側間隔保持部材が固定され、この外側間隔保持部材は、上記外側頂部同士が互いに接近するよう圧縮する圧縮操作に伴って圧縮自在とされてなるとともに、該圧縮操作が解除され前記フィルタケース内に収容された場合には、互いに接近した各外側頂部同士の間隔を所定長さ離間させるものであることを特徴とするものである。
【００１４】
この第２の発明では、上記離間内側頂部を構成要素とするばかりではなく、さらに上記外側間隔保持部材が固定されている。この外側間隔保持部材は、上記圧縮操作に伴って圧縮自在とされてなることから、液体用フィルタ全体を圧縮した際においても当該圧縮操作を阻害するものではないばかりか、該圧縮操作が解除されフィルタケース内に収容された場合には、互いに接近していた外側頂部同士は所定長さ離間させられ、各外側頂部から内側頂部（接近内側頂部又は離間内側頂部）までに到る部位の傾斜角度は広がることとなり、この結果、中央から流入した液体は、この液体用フィルタをスムーズに浸透して異物が濾過されて外部に流出することとなり、該液体用フィルタの中央付近（或いはフィルタケース内）の内圧が必要以上に上昇することをさらに防止することができる。
【００１５】
また、第３の発明（請求項３記載の発明）は、上記第２の発明において、前記外側間隔保持部材は、前記外側頂部の長さ方向と同じ方向に幅を有してなるとともに、それぞれ上記幅方向に長さを有してなる外側折曲部と内側折曲部とが上端側から下端側に亘って交互に形成されてなるとともに、該外側折曲部と内側折曲部を介して伸縮方向に弾性変形自在となされた樹脂製長尺板であって、この樹脂製長尺板は、上記外側折曲部が前記外側頂部の何れかに固定手段を介して固定されてなることを特徴とするものである。
【００１６】
この第３の発明に係る液体用フィルタを構成する外側間隔保持部材は、外側折曲部と内側折曲部とがそれぞれ交互に形成された樹脂製長尺板であり、上記外側折曲部と外側頂部の何れかに固定手段により互いに固定されている。なお、上記固定手段は、接着剤による接着であっても良いし、ステープラを用いたステープル（針）であっても良い。また、上記外側間隔保持部材は、該外側間隔保持部材を構成する複数の外側折曲部が全ての外側頂部に固定されている必要はなく、上下に並ぶ複数の外側頂部に対して一つ置きに固定されているものであっても良い。こうした構成に係る外側間隔保持部材を固定した液体用フィルタによれば、上記第２の発明と同じように、より一層液体を内側から外側に浸透・通過させることができ、該液体用フィルタの中央付近（或いはフィルタケース内）の内圧が必要以上に上昇することをさらに防止することができる。
【００１７】
また、第４の発明（請求項４記載の発明）は、前記第１、第２又は第３の発明の何れかにおいて、上端縁には、前記フィルタケースの上端縁の全周に亘って接着されるフィルタ側接着片が形成されてなることを特徴とするものである。
【００１８】
この第４の発明に係る液体用フィルタの上端縁に形成されたフィルタ側接着片は、この液体用フィルタが収容されるフィルタケースの上端縁の全周に亘って接着される部位であり、該フィルタ側接着片がフィルタケースに接着されることにより、該液体用フィルタ内に流入した液体による内圧が上昇した場合であっても、該内圧はこの液体用フィルタを通過して外部に流出する圧力として作用し、この結果、濾過されない液体がフィルタケースから外部に漏出することを有効に防止することができる。
【００１９】
また、第５の発明（請求項５記載の発明）は、液体濾過装置に係るものであって、前記第１、第２、第３又は第４の発明の何れかに係る液体用フィルタと、方形状に成形された底板と、下面がこの底板の上面に対向してなり方形状に成形され中央には円形状の液体流入用開口が形成された蓋板と、上記底板と蓋板との間に配置された４つの側板と、を備え、内部には上記液体用フィルタを収容するフィルタ収容空間が形成されてなるフィルタケースと、を備えてなる液体濾過装置であり、上記フィルタケースは、上記蓋板、底板、側板がそれぞれ分解可能又は折り畳み可能とされてなることを特徴とするものである。
【００２０】
この液体濾過装置は、上記液体用フィルタとフィルタケースとを備えてなるものであり、上記フィルタケースは、方形状に成形された底板と、下面がこの底板の上面に対向してなり方形状に成形され中央には円形状の液体流入用開口が形成された蓋板と、上記底板と蓋板との間に配置された４つの側板と、を備え、上記蓋板、底板、側板がそれぞれ分解可能又は折り畳み可能とされてなるものである。ここで、分解可能とは、上記蓋板、底板、側板がそれぞれ分離し組み立て可能な構造を言い、また、上記折り畳み可能とは、これらの部材（構成要素）の全部又は一部が折り畳まれ、折り畳まれた部材がフィルタケースとして又は側板等として復元可能な構造を言う。したがって、上記分解構造や折り畳み構造は限定されるものではない。
【００２１】
したがって、上記第５の発明に係る液体濾過装置によれば、フィルタケースを減容化することができ、輸送コストや保管コスト等を圧縮することができるとともに、該フィルタケース内に収容される液体用フィルタも圧縮することにより減容化することができ、さらに、分解又は折り畳まれた（減容化された）フィルタケースを復元するとともに、それまで圧縮されていた液体用フィルタをフィルタケース内に収容することにより、該液体用フィルタは、接近内側頂部よりも外側に位置する（外側頂部に近い位置に形成された）上記離間内側頂部を備えていることから、該液体用フィルタ自身の弾性力により、上下に並ぶ上記外側頂部同士や内側頂部同士の間隔が離間し、この結果、スムーズに液体を濾過することが可能となり、フィルタケースの内圧の過度な上昇による不具合を有効に解消することができる。
【００２２】
また、第６の発明（請求項６記載の発明）は、前記第４の発明に係る液体用フィルタと、方形状に成形された底板と、下面がこの底板の上面に対向してなり方形状に成形され中央には円形状の液体流入用開口が形成された蓋板と、上記底板と蓋板との間に配置された４つの側板と、を備え、内部には上記液体用フィルタを収容するフィルタ収容空間が形成されてなるフィルタケースと、を備えてなる液体濾過装置であって、上記フィルタケースは、上記蓋板、底板、側板がそれぞれ分解可能又は折り畳み可能とされてなるとともに、上記フィルタケースを構成する側板の上端には、前記フィルタ側接着片が接着されるケース側接着片が形成されてなることを特徴とするものである。
【００２３】
この第６の発明に係る液体濾過装置では、上記液体用フィルタにはフィルタ側接着片が形成されている一方、側板の上端には、このフィルタ側接着片が接着されるケース側接着片が形成されていることから、該フィルタ側接着片とケース側接着片とが互いに接着されることにより、フィルタケース内の液体の内圧が上昇した場合であっても、該内圧はこの液体用フィルタを通過して外部に流出する圧力として作用し、この結果、濾過されない液体がフィルタケースから外部に漏出することを有効に防止することができる。
【００２４】
また、第７の発明（請求項７記載の発明）は、上記第５又は第６の発明の何れかにおいて、前記液体用フィルタの中央には、該液体用フィルタの上方から挿入された後に回転操作される内側間隔保持部材が配置されてなり、この内側間隔保持部材には、液体が流入する液体流入空間と、該液体流入空間内の液体が流出する流出用開口とが形成されてなるとともに、前記回転操作により、該液体用フィルタに形成された近接内側頂部と近接内側頂部との間に先端側が挿入される複数の板状のスペーサが上方から下方に亘ってそれぞれ平行に形成されてなることを特徴とするものである。
【００２５】
この第７の発明に係る液体濾過装置では、上記内側間隔保持部材を構成するそれぞれのスペーサの先端側が近接内側頂部と近接内側頂部との間に挿入されていることから、該近接内側頂部同士の間隔が強制的に離間される。したがって、この発明に係る液体濾過装置によれば、より一層フィルタケース内の液体の内圧が上昇した場合であっても、該内圧はこの液体用フィルタを通過して外部に流出する圧力として作用し、この結果、濾過されない液体がフィルタケースから外部に漏出することを有効に防止することができる。
【００２６】
また、第８の発明（請求項８記載の発明）は、上記第７の発明において、前記内側間隔保持部材は、前記液体用フィルタやフィルタケースの長さ方向に長さを有し内側には前記液体流入空間が形成されてなる管部と、この管部の外周面に固定された前記複数のスペーサと、を備え、上記管部には、上記液体流入空間内に流入した液体を外側に流出させる流出用開口が該管部の上端側から下端側に亘って複数形成され、これらの流出用開口の開口面積は、該管部の下端側から上端側に亘って徐々に広いものとされてなることを特徴とするものである。
【００２７】
この第８の発明に係る液体濾過装置では、上記管部に形成された流出用開口の開口面積は、該管部の下端側から上端側に亘って徐々に広いものとされている。したがって、この第８の発明に係る液体濾過装置によれば、液体用フィルタの上端側から中途部に偏って液体が集中し、こうした液体の集中により下側に位置する部位が押されて内側頂部同士の間隔が密着され、ひいてはフィルタケース内の液体の内圧を異常に上昇する危険性を有効に防止することができる。
【００２８】
また、第９の発明（請求項９記載の発明）は、上記第８の発明において、前記管部は平面視において方形状に成形され、前記流出用開口は該管部の周回り方向に４つ形成されてなるとともに、これら４つの流出用開口は、前記液体用フィルタの内側に位置するコーナー部にそれぞれ対向していることを特徴とするものである。
【００２９】
この第９の発明では、管部に形成された４つの流出用開口は、液体用フィルタの内側に位置するコーナー部にそれぞれ対向していることから、上記流出用開口から流出した液体は上記各コーナー部に向かって流出される。したがって、この第９の発明に係る液体濾過装置によれば、上記各接近内側頂部から外側頂部にかけて万遍なく液体が移動し、より濾過効率を高めることができる。
【発明の効果】
【００３０】
上記第１の発明（請求項１記載の発明）に係る液体用フィルタによれば、上記外側頂部と内側頂部とを介して高さ方向に亘って伸縮自在とされ、フィルタケース内に複数収容されることにより圧縮されるものの、上記近接内側頂部の高さ位置と近接内側頂部の高さ位置との間には、上記離間内側頂部が配置されていることから、例えば、交互に反対方向に折曲された板バネのように全体としては弾性力が付与され、フィルタケースに収容された際には、高さ方向に並ぶ接近内側頂部同士や外側頂部同士がそれぞれ互いに離間し、この結果、液体流入空間内に流入した液体は、スムーズに該液体用フィルタに浸透して異物が濾過されながら外部に流出することとなり、該液体用フィルタの中央付近（或いはフィルタケース内）の内圧が必要以上に上昇することを有効に防止することができる。
【００３１】
また、上記第２の発明（請求項２記載の発明）に係る液体用フィルタでは、上記外側間隔保持部材を構成要素とし、該外側間隔保持部材は、圧縮操作に伴って圧縮自在とされてなることから、液体用フィルタ全体を圧縮した際においても当該圧縮操作を阻害するものではないばかりか、該圧縮操作が解除されフィルタケース内に収容された場合には、互いに接近していた外側頂部同士は所定長さ離間させられ、各外側頂部から内側頂部（接近内側頂部又は離間内側頂部）までに到る部位の傾斜角度は広がることとなり、この結果、液体流入空間内に流入した液体は、スムーズに該液体用フィルタに浸透して異物が濾過されながら外部に流出することとなり、該液体用フィルタの中央付近（或いはフィルタケース内）の内圧が必要以上に上昇することを有効に防止することができる。
【００３２】
また、第３の発明（請求項３記載の発明）に係る液体用フィルタによれば、上記第２の発明と同じように、より一層液体を内側から外側に浸透・濾過させることができ、該液体用フィルタの中央付近（或いはフィルタケース内）の内圧が必要以上に上昇することをさらに防止することができる。
【００３３】
また、第４の発明（請求項４記載の発明）に係る液体用フィルタによれば、上記フィルタ側接着片がフィルタケースの上端縁の全周に亘って接着されることにより、該液体用フィルタ内に流入した液体による内圧が上昇した場合であっても、該内圧はこの液体用フィルタを通過して外部に流出する圧力として作用し、この結果、濾過されない液体がフィルタケースから外部に漏出することを有効に防止することができる。
【００３４】
また、第５の発明（請求項５記載の発明）に係る液体濾過装置によれば、フィルタケースを減容化することができ、輸送コストや保管コスト等を圧縮することができるとともに、該フィルタケース内に収容される液体用フィルタも圧縮することにより減容化することができ、さらに、分解又は折り畳まれた（減容化された）フィルタケースを復元するとともに、それまで圧縮されていた液体用フィルタをフィルタケース内に収容することにより、該液体用フィルタは、接近内側頂部よりも外側に位置する（外側頂部に近い位置に形成された）上記離間内側頂部を備えていることから、該液体用フィルタ自身の弾性力により、上下に並ぶ上記外側頂部同士や内側頂部同士の間隔が離間し、この結果、スムーズに液体を濾過することが可能となり、フィルタケースの内圧の過度な上昇による不具合を有効に解消することができる。
【００３５】
また、第６の発明（請求項６記載の発明）に係る液体濾過装置では、フィルタ側接着片とケース側接着片とが、フィルタケースの上端縁の全周に亘って接着されてなることから、フィルタケース内の液体の内圧が上昇した場合であっても、該内圧はこの液体用フィルタを通過して外部に流出する圧力として作用し、この結果、濾過されない液体がフィルタケースから外部に漏出することを有効に防止することができる。
【００３６】
また、第７の発明（請求項７記載の発明）に係る液体濾過装置によれば、液体用フィルタの上端側から中途部に偏って液体が集中し、こうした液体の集中により下側に位置する部位が押されて内側頂部同士の間隔が密着され、ひいてはフィルタケース内の液体の内圧を異常に上昇する危険性を有効に防止することができる。
【００３７】
また、第８の発明（請求項８記載の発明）に係る液体濾過装置によれば、液体用フィルタの上端側から中途部に偏って液体が集中し、こうした液体の集中により下側に位置する部位が押されて内側頂部同士の間隔が密着され、ひいてはフィルタケース内の液体の内圧を異常に上昇する危険性を有効に防止することができる。
【００３８】
また、第９の発明（請求項９記載の発明）に係る液体濾過装置によれば、上記各接近内側頂部から外側頂部にかけて万遍なく液体が移動し、より濾過効率を高め、フィルタケース内における液体の内圧が過度に高められることを防止することができる。
【図面の簡単な説明】
【００３９】
【図１】液体濾過装置を示す分解斜視図である。
【図２】液体濾過装置を示す平面図である。
【図３】蓋板を示すＡ−Ａ断面図である。
【図４】蓋板を示す底面図である。
【図５】底板を示す平面図である。
【図６】液体濾過装置を示す正面図である。
【図７】側板を示す平面図である。
【図８】液体濾過装置を示す左側面図である。
【図９】液体用フィルタの展開図である。
【図１０】液体用フィルタの一部を示す斜視図である。
【図１１】図１０に示す液体用フィルタの側断面図である。
【図１２】図１０に示す液体用フィルタの正断面図である。
【図１３】液体用フィルタ内に内側間隔保持部材を挿入した状態を示す平面図である。
【図１４】図１３に示す状態から内側間隔保持部材を４５度回転させた後の状態を示す平面図である。
【図１５】側板を折り畳んだ状態を示す平面図である。
【図１６】折り畳まれた側板と蓋板と底板とを重ね合わせた状態を示す側面図である。
【発明を実施するための形態】
【００４０】
以下、本発明を実施するための最良の形態に係る液体濾過装置を、図面を参照しながら詳細に説明する。
【００４１】
この実施の形態に係る液体濾過装置１は、図１に示すように、フィルタケース（符号は省略する。）と、このフィルタケース内に収容された複数の液体用フィルタ（以下、「フィルタ」と言う。）３と、を備えている。そこで、先ず、上記フィルタケースに関して詳細に説明し、その後に上記フィルタ３に関して説明する。
【００４２】
上記フィルタケースは、図１に示すように、蓋板４と、側板５と、底板６とを備えている。上記蓋板４は、図２、図３又は図４に示すように、正方形状に成形された上側平板部４ａと、この上側平板部４ａの周端から垂下してなる第１ないし第４の垂下板部４ｂ・・・４ｅと、を備えている。そして、上記上側平板部４ａの中央には、図３に示すように、円形状の開口（符号は省略する。）が形成され、該上側平板部４ａの裏面には、この開口と連通してなる座付きナット８が溶接されており、また該上側平板部４ａの上面には上記座付きナット８に螺着されたボルト部（符号は省略する。）が下端に形成され該ボルト部が上記座付きナット８に螺着されることにより上側平板部４ａの上面に下面が圧接される台座部７ａが形成された液体流入管７が固定されている。この液体流入管７の上端側は、上記上側平板部４ａの上面よりも上方に突出してなるとともに、濾過される液体をこの液体濾過装置１内に供給する図示しないチューブ等の管体の先端が接続される部位である。
【００４３】
また、上記蓋板４を構成する上側平板部４ａの裏面には、第１ないし第４の垂下板部４ｂ・・・４ｅにより囲まれ正方形状に成形された上側パッキン１１が接着されている（図３参照）。この上側パッキン１１は、ゴム又は軟質樹脂からなる液体漏出防止用の弾性板体であり、後述するように、側板５の上端とこの蓋板４の裏面に接着された上側パッキン１１とによりフィルタ３に形成された後述するフィルタ側接着片を挟持するように構成されている。そして、上記蓋板４を構成する上記第２の垂下板部４ｃの外側面の左右両側には、図１、図２又は図４に示すように、第１の上側係止片１３と第２の上側係止片１４とがそれぞれ固定され、上記第４の垂下板部４ｅの外側面には、第３の上側係止片１５ｄと第４の上側係止片１６とがそれぞれ固定されている。なお、上記第１ないし第４の上側係止片１３・・・１６は、後述するキャッチクリップに形成された係止杆に係止される部位である。
【００４４】
また、上記底板６は、図１又は図５に示すように、上記蓋板４を構成する上側平板部４ａと同一の形状に成形された下側平板部６ａと、この下側平板部６ａの周端から起立してなる第１ないし第４の起立板部６ｂ・・・６ｅと、を備えている。また、この底板６を構成する下側平板部６ａの上面には、上記第１ないし第４の起立板部６ｂ・・・６ｅにより囲まれ正方形状に成形された下側パッキン１８が接着されている。そして、上記底板６を構成する上記第２の起立板部６ｃの外側面の左右両側には、図１又は図５に示すように、第１の下側係止片１９と第２の下側係止片２０とがそれぞれ固定され、上記第４の起立板部６ｅの外側面には、図５に示すように、第３の下側係止片２１と第４の下側係止片２２とがそれぞれ固定されている。
【００４５】
また、上記側板５は、図１又は図７に示すように、正面側板部材２５と、この正面側板部材２５に対向してなる背面側板部材２６と、左側板部材２７と、この左側板部材２７に対向してなる右側板部材２８とから構成されている。そして、図７に示すように、上記左側板部材２７は、一方の左側板半体２９と他方の左側板半体３０とから構成され、上記右側板部材２８は、一方の右側板半体３１と他方の左側板半体３２とから構成されている。
【００４６】
そして、上記正面側板部材２５は、略正方形状に成形された正面主板部２５ａと、この正面主板部２５ａの左端から直角に折曲されてなる一方の左折曲板部２５ｂと、上記正面主板部２５ａの右端から直角に折曲され上記一方の左折曲板部２５ｂに対向してなる一方の右折曲板部２５ｃとを有している。なお、上記正面主板部２５ａには、フィルタ３により濾過された液体がこのフィルタケース内から外部に排出される多数の透孔２５ｆが穿設されている。また、上記正面主板部２５ａの上端には、（後述する最も上方に配置された）フィルタ３に形成されたフィルタ側接着片３ｅの一部が接着される第１の接着板部２５ｄが形成されている。また、上記正面主板部２５ａの上端側の左側には、図１又は図６に示すように、先に説明した第１の上側係止片１３に係合する係合部（符号は省略する。）を有する第１のキャッチクリップ３５が固定され、該正面主板部２５ａの上端側の右側には、先に説明した第２の上側係止片１４に係合する係合部（符号は省略する。）を有する第２のキャッチクリップ３６が固定されている。また、上記正面主板部２５ａの下端側の左側には、先に説明した第１の下側係止片１９に係合する係合部（符号は省略する。）を有する第３のキャッチクリップ３７が固定され、上記正面主板部２５ａの下端側の右側には、先に説明した第２の下側係止片２０に係合する係合部（符号は省略する。）を有する第４のキャッチクリップ３８が固定されている。なお、第１及び第２のキャッチクリップ３５，３６は、それぞれ回動操作される操作片（符号は省略する。）とこの操作片の回動操作により位置が変更されるとともに上記蓋板４に固定された第１又は第２の上側係止片１３，１４に係合する係止杆（符号は省略する。）を備え、また、上記第３及び第４のキャッチクリップ３７，３８は、上記操作片を備えてなるとともに、上記底板６に固定された第１又は第２の下側係止片２１，２２に係止される係止杆（符号は省略する。）を備えたものである。
【００４７】
また、上記背面側板部材２６は、上記正面側板部材２５と同一の構成からなるものであり、図１又は図７に示すように、略正方形状に成形された背面主板部２６ａと、この背面主板部２６ａの左端から直角に折曲されてなる他方の左折曲板部２６ｂと、上記背面主板部２６ａの右端から直角に折曲され上記他方の左折曲板部２６ｂに対向してなる他方の右折曲板部２６ｃ（図７参照）とを有している。なお、上記背面主板部２６ａには、フィルタ３により濾過された液体がこのフィルタケース内から外部に排出される図示しない多数の透孔が穿設されている。また、上記背面主板部２６ａの上端には、（後述する最も上方に配置された）フィルタ３に形成されたフィルタ側接着片３ｇの一部が接着される第２の接着板部２６ｄが形成されている。また、上記背面主板部２６ａの上端側の左側には、図７に示すように、先に説明した第３の上側係止片１５に係合する係合部（符号は省略する。）を有する第５のキャッチクリップ３９が固定され、該背面主板部２６ａの上端側の右側には、先に説明した第４の上側係止片１６に係合する係合部（符号は省略する。）を有する第６のキャッチクリップ４０が固定されている。また、上記背面主板部２６ａの下端側の左側には、先に説明した第３の下側係止片２１に係合する係合部（符号は省略する。）を有する第７のキャッチクリップ４１（図８参照）が固定されている。また、上記背面主板部２６ａの下端側の右側には、先に説明した第４の下側係止片２２に係合する係合部（符号は省略する。）を有する図示しない第８のキャッチクリップが固定されている。なお、第５ないし第８のキャッチクリップ３９・・・４１は、それぞれ回動操作される操作片（符号は省略する。）とこの操作片の回動操作により位置が変更されるとともに、上記底板６に固定された第５ないし第８の下側係止片１５，１６，２１，２２の何れかに係止される係止杆（符号は省略する。）を備えたものである。
【００４８】
また、上記側板５を構成する上記左側板部材２７は、図８に示すように、一方の左側板半体２９と他方の左側板半体３０とから構成されている。これら一方及び他方の左側板半体２９，３０は、互いに同一の形状に成形され、それぞれ高さ方向に長さを有する長方形状の板体である。また、これら一方及び他方の左側板半体２９，３０には、フィルタ３により濾過された液体がこのフィルタケース内から外部に排出される多数の透孔２９ａ，３０ａが穿設され、それぞれの上端には、（後述する最も上方に配置された）フィルタ３に形成されたフィルタ側接着片３ｈの一部が接着される第３及び第４の接着板部２９ｂ，３０ｂ（図７参照）がそれぞれ形成されている。なお、上記一方の左側板半体２９には、以下に説明する第１の蝶番４５を介して外側に折り曲げられる力が作用した際に、上記他方の左側板半体３０に当接する回動規制片２９ｅ（図１４参照）が固定されている。そして、上記一方の左側板半体２９と他方の左側板半体３０とは、第１の蝶番４５と第２の蝶番４６とにより互いに折り畳み自在に連結されている。なお、上記第１の蝶番４５と第２の蝶番４６とは、上記一方の左側板半体２９と他方の左側板半体３０の外側面にそれぞれ取り付けられている。また、図８に示すように、上記一方の左側板半体２９と上記背面側板部材２６を構成する他方の左折曲板部２６ｂとは、第３の蝶番４７と第４の蝶番４８とにより回動自在に連結されている。また、上記他方の左側板半体３０と上記正面側板部材２５を構成する一方の左折曲板部２５ｂとは、第５の蝶番４９と第６の蝶番５０とにより回動自在に連結されている。なお、これら第３ないし第６の蝶番４７・・・５０は、上記一方及び他方の左側板半体２９，３０並びに上記他方の左折曲板部２６ｂ及び一方の左折曲板部２５ｂの内側面にそれぞれ取り付けられている。
【００４９】
また、上記右側板部材２８は、上記左側板部材２７と同一の構成からなるものであり、図７に示すように、一方の右側板半体３１と他方の右側板半体３２とから構成されている。これら一方及び他方の右側板半体３１，３２は、互いに同一の形状に成形され、それぞれ高さ方向に長さを有する長方形状の板体である。また、これら一方及び他方の右側板半体３１，３２には、フィルタ３により濾過された液体がこのフィルタケース内から外部に排出される多数の図示しない透孔が穿設され、それぞれの上端には、（後述する最も上方に配置された）フィルタ３に形成されたフィルタ側接着片３ｆの一部が接着される第５及び第６の接着板部３１ｂ，３２ｂ（図７参照）がそれぞれ形成されている。なお、上記一方の右側板半体３１には、以下に説明する第７の蝶番５５を介して外側に折り曲げられる力が作用した際に、上記他方の右側板半体３２に当接する回動規制片３１ｅ（図７参照）が固定されている。そして、上記一方の右側板半体３１と他方の右側板半体３２とは、第７の蝶番５５と第８の蝶番５６（図６参照）とにより互いに折り畳み自在に連結されている。なお、上記第７の蝶番５５と第８の蝶番５６とは、上記一方の右側板半体３１と他方の右側板半体３２の外側面にそれぞれ取り付けられている。また、上記一方の右側板半体３１と上記背面側板部材２６を構成する他方の右折曲板部２６ｃとは、第９の蝶番５７と図示しない第１０の蝶番とにより回動自在に連結されている。また、上記他方の右側板半体３２と上記正面側板部材２５を構成する一方の右折曲板部２５ｃとは、第１１の蝶番５９と図示しない第１２の蝶番とにより回動自在に連結されている。なお、これら第９ないし第１２の蝶番４９・・・５９は、上記一方及び他方の右側板半体３１，３２並びに上記他方の右折曲板部２６ｃ及び一方の右折曲板部２５ｃの内側面にそれぞれ取り付けられている。
【００５０】
次に、上述した構成に係るフィルタケース内のフィルタ収容空間内に収容されるフィルタ３について説明する。本実施の形態では、上記フィルタ３は、上記フィルタ収容空間内に収容されてなるものであり、後述するように、上記フィルタケースを構成する上記底板６に側板５が取り付けられた後に収容されるものである。そして、上記フィルタ３は、アクリル繊維等の合成繊維等からなる濾紙（不織布）であって、通水性・透水性を有するとともに液体に含まれた異物を捕捉するものであり、図１又は図１０に示されるように、外形形状が略立方体状に成形されてなるものである。換言すれば、これらのフィルタ３は、図９に示す略長方形状に成形された１枚の濾紙６５が、図９において一点鎖線で示す折曲線において、山折又は谷折されるとともに左右両側が接着又は溶着されることにより、中央には平面視において正方形状の液体流入空間３ａが形成されてなるものである。
【００５１】
また、上記フィルタ３の正面、背面、左側面及び右側面のそれぞれには、該フィルタ３の高さ方向と直交する方向に長さを有し高さ方向に並列してなる複数の外側頂部３ｂが形成されてなるとともに、上記液体流入空間３ａ側には、該フィルタ３の高さ方向とは直交する方向に長さを有し高さ方向に並列してなる複数の内側頂部（後述する接近内側頂部３ｃと離間内側頂部３ｄ）が形成され、全体として高さ方向に圧縮自在とされている。なお、このフィルタ３の上部には、図１又は図９に示すように、外周を取り囲むように形成されたフィルタ側接着片３ｅ，（３ｆ，３ｇ）３ｈが形成されている。これらのフィルタ側接着片３ｅ，３ｆ，３ｇ，３ｈは、図９に示す濾紙６５を参照しながら説明すると、符号３ｅ，３ｆ，３ｇ，３ｈで示す部位であり、該フィルタ側接着片３ｅは、上記正面主板部２５ａの上端に形成された第１の接着板部２５ｄに接着される部位であり、該フィルタ側接着片３ｆは、上記一方の右側板半体３１の上端に形成された第５の接着板部３１ｂ及び他方の左側板半体３２の上端に形成された第６の接着板部３２ｂに接着される部位であり、フィルタ側接着片３ｇ，３ｇは、上記背面主板部２６ａの上端に形成された第２の接着板部２６ｄに接着される部位であり、該フィルタ側接着片３ｈは、上記一方の左側板半体２９の上端に形成された第３の接着板部２９ｂ及び上記他方の左側板半体３０の上端に形成された第４の接着板部３０ｂに接着される部位である。
【００５２】
そして、この実施の形態に係るフィルタ３では、図１１又は図１２に示すように、上記内側頂部は、上記液体流入空間３ａに接近してなる近接内側頂部３ｃと、この近接内側頂部３ｃの高さ位置と近接内側頂部３ｃの高さ位置との間であって該液体流入空間３ａよりも外側に離間した位置に配置されてなる離間内側頂部３ｄと、から構成されている。すなわち、このフィルタ３の正面（及び背面）において、上端側から下端側にかけて順番に配置された上記外側頂部３ｂ、接近内側頂部３ｃ，離間内側頂部３ｄの配置位置を説明すると、特定の外側頂部３ｂの高さ位置の下方に上記接近内側頂部３ｃが位置し、この接近内側頂部３ｃの高さ位置下方に上記特定の外側頂部３ｂに並ぶ他の外側頂部３ｂが位置し、この他の外側頂部３ｂの高さ位置の下方に上記離間内側頂部３ｄが位置し、この離間内側頂部３ｄの高さ位置の下方にさらに他の外側頂部３ｂが位置する。本実施の形態に係るフィルタ３では、上記順番で外側頂部３ｂ、接近内側頂部３ｃ，離間内側頂部３ｄが形成されている。なお、こうした外側頂部３ｂ、接近内側頂部３ｃ，離間内側頂部３ｄの順番は、図１２に示すように、このフィルタ３の左側面及び右側面においても（正面及び背面とは左右の形状が異なるが）同様である。
【００５３】
なお、このフィルタ３は、平面視における外形形状が正方形状に成形（折曲）されてなるとともに、上記蓋板４の上側平板部４ａや底板６の下側平板部６ａの形状もそれぞれ正方形状に成形され、また上記側板５の内側に形成されたフィルタ収容空間も立方体状であることから、該フィルタ３の収容方向は特に限定されるものではないが、図１に示したフィルタ３の位置関係に基づいて説明すれば、図９中、符号「６５ａ」を付した部位はフィルタ３の正面に位置する部位であり、符号「６５ｂ」を付した部位は右側面に位置する部位であり、符号「６５ｃ」を付した部位は、左側面に位置する部位である。また、上記濾紙６５の左右両側に形成されそれぞれ符号「６５ｄ」，「６５ｄ」を付した部位は、それぞれ背面に位置する部位である。また、図９に示す濾紙６５の左端と右端とにそれぞれ形成され符号「６５ｅ」，「６５ｅ」は、それぞれ重なり合わせられる部位である。また、この濾紙６５の縦方向に形成されたそれぞれの折曲線６５ｊは、該濾紙６５を山折される部位であり、また、上記それぞれフィルタ側接着片３ｅ，３ｆ，３ｇ，３ｈとされる部位の下方において横方向に形成された折曲線６５ｋは谷折される部位であり、該折曲線６５ｋの下方において該折曲線６５ｋと平行に形成された折曲線６５ｌも谷折される部位であり、フィルタ３の接近内側頂部３ｃとされる部位である。そして、この折曲線６５ｌの下方に形成された折曲線６５ｍは、山折される部位でありフィルタ３の外側頂部３ｂとされる部位である。また、この折曲線６５ｍの下方に形成された折曲線６５ｎは、谷折される部位でありフィルタ３の離間内側頂部３ｄとされる部位である。また、この折曲線６５ｎの下方に形成された折曲線６５ｐは、山折される部位でありフィルタ３の外側頂部３ｂとされる部位である。また、この折曲線６５ｐの下方に形成された折曲線６５ｑは、谷折される部位でありフィルタ３の接近内側頂部３ｃとされる部位である。すなわち、上記濾紙６５には、上記接近内側頂部３ｃとされる折曲線、外側頂部３ｂとされる折曲線、離間内側頂部３ｄとされる折曲線、外側頂部３ｂとされる折曲線、接近内側頂部３ｃとされる折曲線が、上記順番により繰り返されて形成されている。また、フィルタ３の右側面又は左側面とされる部位となり、上記符号「６５ｂ」や符号「６５ｃ」で示した部位において、傾斜した状態で形成された折曲線６５ｒ，６５ｓ，６５ｔ，６５ｕは、それぞれ各外側頂部３ｂから上記接近内側頂部３ｃ又は離間内側頂部３ｄに到る部位として折曲される部位である。
【００５４】
そして、上記フィルタ３には、本発明を構成する外側間隔保持部材として、図１又は図１０に示すように、第１ないし第６の樹脂製長尺板６７・・・７２がそれぞれ固定されている。上記第１の樹脂製長尺板６７は上記フィルタ３の正面の左側中途部に、上記第２の樹脂製長尺板６８は該フィルタ３の正面の右側中途部に、上記第３の樹脂製長尺板６９は該フィルタ３の背面の左側中途部に、上記第４の樹脂製長尺板７０は該フィルタ３の背面の右側中途部に固定（図１２参照）されてなるものである。また、上記第５の樹脂製長尺板７１は該フィルタ３の左側面の中央に、上記第６の樹脂製長尺板７２は該フィルタ３の右側面の中央に固定（図１１参照）されているものである。そして、これら第１ないし第６の樹脂製長尺板６７・・・７２は、ポリプロピレン（ＰＰ）等の合成樹脂を素材としてなるものであって、上記幅方向と同じ方向に長さを有する（山折とされた）外側折曲部６７ａ・・・７２ａと（谷折とされた）内側折曲部６７ａ・・・７２ａとが交互に形成されている。なお、この実施の形態では、上記外側折曲部６７ａ・・・７２ａは、上記フィルタ３に形成された外側頂部３ｂにステープル８１により固定された部位（外側折曲部）と、この部位よりもやや内側に形成され該外側頂部３ｂには固定されていない部位（外側折曲部）とを備えている。すなわち、本実施の形態における上記外側折曲部６７ａ・・・７２ａと内側折曲部６７ｂ・・・７２ｂとの位置関係を説明すると、上記ステープル８１により固定された外側折曲部（符号は省略する。）の高さ位置より下方には、上記内側折曲部（符号は省略する。）が位置し、該内側折曲部の高さ位置より下方には、上記ステープル８１により固定されていない外側折曲部が位置し、この外側折曲部の高さ位置より下方には上記内側折曲部が位置し、この内側折曲部の高さ位置より下方には、再び上記ステープル８１により固定された外側折曲部が形成されている。したがって、これら第１ないし第６の樹脂製長尺板６７・・・７２単体はそれぞれ弾性を有し、それぞれの外側折曲部６７ａ・・・７２ａ同士が、またそれぞれの上記内側折曲部６７ｂ・・・７２ｂが互いに接近するように圧縮させることができるとともに、伸長させることもでき、上記フィルタケース内に積層された状態で収容された（圧縮操作が解除された）上記フィルタ３は、上記第１ないし第６の樹脂製長尺板６７・・・７２の弾性作用により、該フィルタ３に形成された外側頂部３ｂと外側頂部３ｂとが互いに離間する方向に付勢される。
【００５５】
また、上述したフィルタケース内には、内側間隔保持部材７８が収容されている。この内側間隔保持部材７８は、図１又は図１３若しくは図１４に示すように、高さ方向に長さを有し上記フィルタ３に形成された液体流入空間３ａ内に挿入される角パイプ７８ａと、この角パイプ７８ａの上端に基端が固定され該フィルタ３の上面に載置される正方形状の載置板７８ｂと、上記角パイプ７８ａの上端側中途部から下端に亘ってそれぞれ平行に固定された１３枚のスペーサ７８ｃとから構成されている。上記角パイプ７８ａは、それぞれ長方形状に成形された４つの側板部（符号は省略する。）により外形形状が直方体状に成形されているとともに、上記蓋板４を構成する上側平板部４ａの下面から上記底板６を構成する下側平板部６ａの上面までの長さよりもやや短い長さとされている。また、上記それぞれのスペーサ７８ｃは、それぞれ正方形状に成形された平板であって、中央の開口（符号は省略する。）を形成する内側端部において上記角パイプ７８ａに溶接されている。なお、上記各スペーサ７８ｃの各辺の長さは、上記フィルタ３の中央に形成された平面視が正方形状の液体流入空間３ａの各辺の長さよりも若干短いものとされている。そして、上記角パイプ７８ａを構成する各側板部であって上記載置板７８ｂとスペーサ７８ｃとの間及び各スペーサ７８ｃ同士の間には、内部に流入した液体が流出する円形状の流出用開口７８ｄがそれぞれ形成されてなるとともに、これらの流出用開口７８ｄの開口面積は、最も下方から上方に亘って徐々に広い面積とされている。そして、この内側間隔保持部材７８は、上記フィルタ３がフィルタケース内に収容された後に、図１３に示すように、該フィルタ３の上方から挿入された後に、図１４に示すように４５度回転操作されることにより、上記各スペーサ７８ｃの角部側は、上記フィルタ３に形成され高さ方向に並ぶ接近内側頂部３ｃと接近内側頂部３ｃとの間に強制的に挿入される。
【００５６】
以下では、上記液体濾過装置１を構成する上記フィルタケース、フィルタ３及び内側間隔保持部材７８（以下、これらを部品という事がある。）を輸送又は保管等する形態と、これらの部品から液体濾過装置１として組み付ける方法について説明する。
【００５７】
先ず、上記各部品を輸送又は保管する形態について説明すると、上記フィルタケースは、図１に示すように、蓋板４、側板５及び底板６をそれぞれ別個の状態とし、該側板５は、上記一方の左側板半体２９と他方の左側板半体３０との間と、上記一方の右側板半体３１と他方の右側板半体３２との間をそれぞれ内側に押圧操作し、該一方及び他方の左側板半体２９，３０と一方及び他方の右側板半体３１，３２を上記第１ないし第４の蝶番４３・・・４６を介して内側に折り畳むと同時に、上記第５ないし第１２の蝶番４５・・・４８を介して折り畳む。この結果、この側板５は、図８に示す状態から図１５に示す状態に折り曲げられる。したがって、上記構成に係る側板５によれば大きく減容化することができる。また、上記蓋板４、底板６及び折り畳まれた上記側板５を、例えば、図１６に示すように積み重ねることも可能となる。また、上記フィルタ３は圧縮することにより減容化され、上記内側間隔保持部材７８は、図示しない包装箱その他の容器に収納する等して、上記蓋板４、底板６及び折り畳まれた側板５やフィルタ３とともに保管し又は輸送すれば良い。
【００５８】
また、上述した蓋板４、底板５及び折り畳まれた上記側板５、フィルタ３、内側間隔保持部材７８を用いて液体濾過装置１として組み立てる場合には、例えば、以下の順序により行えば良い。先ず、上記底板６に上記側板５を組み付けるとともに、上記第５ないし第８のキャッチクリップ３９・・・４１を用いて該底板６と側板５とを連結する。こうした作業が終了すると、次いで、上記フィルタ３を上記側板５内に収容する。そして、上記フィルタ３に形成された各フィルタ側接着片３ｅ，３ｆ，３ｇ，３ｈを、上記第１ないし第６の接着板部２５ｄ，２６ｄ，２９ｂ，３０ｂ，３１ｂ，３２ｂに接着する。上記作業が終了すると、次いで、上記フィルタ３の中央に、上記内側間隔保持部材７８を上方から挿入するとともに、先に説明した要領で該内側間隔保持部材７８を４５度回転させる。次に、上記蓋板４の上面に上記液体流入管７を取り付ける。そして、最後に上記蓋板４を側板５に被せ、上記第１ないし第４のキャッチクリップ３５・・・３８を用いて互いを連結させる。なお、このように上記第１ないし第４のキャッチクリップ３５・・・３８を用いて蓋板４と側板５とを連結すると、蓋板４の上側平板部４ａの裏面に接着された上側パッキン１１は、上記第１ないし第６の接着板部２５ｄ，２６ｄ，２９ｂ，３０ｂ，３１ｂ，３２ｂと共同して、該第１ないし第６の接着板部２５ｄ，２６ｄ，２９ｂ，３０ｂ，３１ｂ，３２ｂに接着されたフィルタ３のフィルタ側接着片３ｅ，３ｆ，３ｇ，３ｈが挟持される。したがって、この液体濾過装置１によれば、上記構成により、フィルタ３の内部に流入した液体の内圧が上昇した場合であっても上記フィルタ３によりスラッジ等の異物が濾過されない状態で外部に漏出することが防止される。
【００５９】
また、上記フィルタ３が上記フィルタケース内に収容される（圧縮された状態が解除される）と、該フィルタ３には、上述した（本発明を構成する）離間内側頂部３ｄが形成されているとともに、該フィルタ３の外側には、本発明を構成する外側間隔保持部材としての第１ないし第６の樹脂製長尺板６７・・・７２が固定されていることから、該第１ないし第６の樹脂製長尺板６７・・・７２の弾性力により、それまで接近していた外側頂部３ｂ同士の間隔が離間する。さらに、上記フィルタ３の内側には、４５度回転させられた内側間隔保持部材７８を構成する各スペーサ７８ｃの４つの角部は、該フィルタ３に形成され高さ方向に並ぶ接近内側頂部３ｃと接近内側頂部３ｃとの間に強制的に挿入されていることから、該内側頂部３ｃ同士は互いに離間されている。そして、上記液体流入管７を介して濾過される液体がこの液体濾過装置１内に流入すると、該液体は上記角パイプ７８ａに形成された各流出用開口７８ｄからフィルタ３に液体が流入し、該液体はフィルタ３を通過して、上記側板５に形成された各透孔２５ｆ，２９ａ，３０ａを通過して該液体濾過装置１の外部に流出される。したがって、上述した実施の形態に係る液体濾過装置１によれば、上記異物を含んだ液体を濾過するフィルタ３は、その外側においては各外側頂部３ｂが離間され、その内側においては各接近内側頂部３ｃが離間させられることから、該フィルタ３内に流入した液体を効率良く通過させることができ、その内圧が過度に高められることを有効に防止することができる。
【００６０】
なお、上記実施の形態に係る液体濾過装置１では、上記側板５を構成する正面側板部材２５、背面側板部材２６、左側板部材２７、右側板部材２８の内で、上記左側板部材２７と右側板部材２８を、それぞれ一方及び他方の左側板半体２９，３０や一方及び他方の右側板半体３１，３２にそれぞれ分割し、これらが折り畳まれる構造としたが、本発明は、上記正面側板部材２５と背面側板部材２６とをそれぞれ図示しない一方及び他方の正面側板半体、一方及び他方の背面側板半体として分割し、これらが折り畳まれる構造としたものであってもよい。
【００６１】
また、上記実施の形態に係る液体濾過装置１を構成するフィルタケースでは、第１ないし第８のキャッチクリップ３５・・・４１により上記側板５と蓋板４又は底板６を互いに連結したものを図示して説明したが、これらのキャッチクリップは更に数を増加して強固に該側板５と蓋板４又は底板６を互いに連結したものであっても良い。
【符号の説明】
【００６２】
１  液体濾過装置
３  フィルタ
３ａ  液体流入空間
３ｂ  外側頂部
３ｃ  接近内側頂部
３ｄ  離間内側頂部
３ｅ・・・３ｈ  フィルタ側接着片
４  蓋板
５  側板
６  底板
２５  正面側板部材
２５ｄ  第１の接着板部
２６  背面側板部材
２６ｄ  第２の接着板部
２７  左側板部材
２８  右側板部材
２９  一方の左側板半体
２９ｂ  第３の接着板部
３０  他方の左側板半体
３０ｂ  第４の接着板部
３１  一方の右側板半体
３１ｂ  第５の接着板部
３２  他方の左側板半体
３２ｂ  第６の接着板部
６７・・・７２  第１ないし第６の樹脂製長尺板（外側間隔保持部材）
６７ａ・・・７２ａ  外側折曲部
６７ｂ・・・７２ｂ  内側折曲部
７８  内側間隔保持部材
７８ａ  角パイプ
７８ｃ  スペーサ
【図１】
2019063743.tif 000003
【図２】
2019063743.tif 000004
【図３】
2019063743.tif 000005
【図４】
2019063743.tif 000006
【図５】
2019063743.tif 000007
【図６】
2019063743.tif 000008
【図７】
2019063743.tif 000009
【図８】
2019063743.tif 000010
【図９】
2019063743.tif 000011
【図１０】
2019063743.tif 000012
【図１１】
2019063743.tif 000013
【図１２】
2019063743.tif 000014
【図１３】
2019063743.tif 000015
【図１４】
2019063743.tif 000016
【図１５】
2019063743.tif 000017
【図１６】
2019063743.tif 000018